(57)【要約】【課題】安価に製造できるとともに、高いデザイン性を有するストレーナ及びルーフドレインを提供すること。【解決手段】ルーフドレイン１に用いられるストレーナ１２は、上端よりも低い位置に設けられ、複数の孔部５３ａが形成された天板５３を有するストレーナ本体４１と、天板５３上に配置され、下面側に設けられた、孔部５３ａに挿入される複数の被締結部材６１ｂ、及び、上面側に設けられた意匠部９０を有する化粧部材４２と、被締結部材６１ｂと締結する締結部材６５と、を備える。【選択図】      図４
2018096112.tif 000002
【特許請求の範囲】
【請求項１】
上端よりも低い位置に設けられ、複数の孔部が形成された天板を有するストレーナ本体と、
前記天板上に配置され、下面側に設けられた、前記孔部に挿入される複数の被締結部材、及び、上面側に設けられた意匠部を有する化粧部材と、
前記被締結部材と締結する締結部材と、
を備えるストレーナ。
【請求項２】
前記化粧部材は、重ねて配置されることで前記意匠部を構成する複数の化粧板を有し、
前記複数の被締結部材は、前記複数の化粧板のうち最上段に設けられる前記化粧板の下面に設けられ、
前記複数の化粧板のうち最上段以外の前記化粧板は、前記複数の被締結部材が挿入される孔部を有する、請求項１に記載のストレーナ。
【請求項３】
前記ストレーナ本体は、矩形筒状に組み立てられる一対の第１側板及び一対の第２側板と、前記天板を前記一対の第１側板及び前記一対の第２側板に固定する連結部材と、を有し、
前記天板の主面の形状は、前記矩形筒状に組み立てられた前記一対の第１側板及び前記一対の第２側板の開口形状よりも小さい矩形状に形成される、請求項１に記載のストレーナ。
【請求項４】
上端よりも低い位置に設けられ、複数の孔部が形成された天板を有するストレーナ本体、前記天板上に配置され、下面側に設けられた、前記孔部に挿入される複数の被締結部材及び上面側に設けられた意匠部を有する化粧部材、並びに、前記被締結部材と締結する締結部材、を具備するストレーナと、
建造物の排水溝に設けられ、前記ストレーナを固定するドレイン本体と、
を備えるルーフドレイン。
【請求項５】
前記化粧部材は、重ねて配置されることで前記意匠部を構成する複数の化粧板を有し、
前記複数の被締結部材は、前記複数の化粧板のうち最上段に設けられる前記化粧板の下面に設けられ、
前記複数の化粧板のうち最上段以外の前記化粧板は、前記複数の被締結部材が挿入される孔部を有する、請求項４に記載のルーフドレイン。
【請求項６】
前記ストレーナ本体は、矩形筒状に組み立てられる一対の第１側板及び一対の第２側板と、前記天板を前記一対の第１側板及び前記一対の第２側板に固定する連結部材と、を有し、
前記天板の主面の形状は、前記矩形筒状に組み立てられた前記一対の第１側板及び前記一対の第２側板の開口形状よりも小さい矩形状に形成される、請求項４に記載のルーフドレイン。
【発明の詳細な説明】
【技術分野】
【０００１】
本発明は、建造物のベランダ、バルコニー、廊下及び屋根等における排水溝に設けられるストレーナ及びルーフドレインに関する。
【背景技術】
【０００２】
建造物のベランダ、バルコニー、廊下及び屋根等の張出部において、雨水等を排水するためのルーフドレインが知られている（例えば、特許文献１参照）。このようなルーフドレインは、張出部の排水溝に設けられたドレイン本体をストレーナで覆うことで、ドレイン本体内にゴミや枯れ葉等の所定の大きさの異物が侵入することを防止する。
【先行技術文献】
【特許文献】
【０００３】
【特許文献１】特開２００９-１６２０２２号公報
【発明の概要】
【発明が解決しようとする課題】
【０００４】
上述したルーフドレインでは、以下の問題があった。即ち、ルーフドレインは、ドレイン本体をストレーナで覆う構成であることから、ルーフドレインが視認可能な状態で配置されるが、ストレーナは、鋳造や曲げ加工等によって製造されることから、デザイン性が高くない。
【０００５】
このため、設置場所の美観を向上させるために、デザイン性の高いストレーナが求められている。また、多種多様なデザインが求められているが、デザイン数が増えると、ストレーナの種類が増えて、製造コストが増加する、という問題がある。
【０００６】
そこで本発明は、安価に製造できるとともに、高いデザイン性を有するストレーナ及びルーフドレインを提供することを目的とする。
【課題を解決するための手段】
【０００７】
前記課題を解決し目的を達成するために、本発明のストレーナ及びルーフドレインは次のように構成されている。
【０００８】
本発明の一態様として、ストレーナは、上端よりも低い位置に設けられ、複数の孔部が形成された天板を有するストレーナ本体と、前記天板上に配置され、下面側に設けられた、前記孔部に挿入される複数の被締結部材、及び、上面側に設けられた意匠部を有する化粧部材と、前記被締結部材と締結する締結部材と、を備える。
【０００９】
本発明の一態様として、ルーフドレインは、上端よりも低い位置に設けられ、複数の孔部が形成された天板を有するストレーナ本体、前記天板上に配置され、下面側に設けられた前記孔部に挿入される複数の被締結部材及び上面側に設けられた意匠部を有する化粧部材、並びに、前記被締結部材と締結する締結部材、を具備するストレーナと、建造物の排水溝に設けられ、前記ストレーナを固定するドレイン本体と、を備える。
【発明の効果】
【００１０】
本発明によれば、高いデザイン性を有するストレーナ及びルーフドレインを提供することが可能となる。
【図面の簡単な説明】
【００１１】
【図１】本発明の一実施形態に係るルーフドレインの構成を示す断面図。
【図２】同ルーフドレインに用いられるドレイン本体の構成を示す平面図。
【図３】同ルーフドレインに用いられるストレーナの構成を示す平面図。
【図４】同ストレーナの構成を示す断面図。
【図５】同ストレーナの構成を示す分解断面図。
【図６】同ストレーナのストレーナ本体の構成を示す平面図。
【図７】同ストレーナ本体の構成を一部切欠して示す平面図。
【図８】同ストレーナ本体の構成を示す側面図。
【図９】同ストレーナ本体の構成を示す側面図。
【図１０】同ストレーナ本体の構成を示す側面図。
【図１１】同ストレーナ本体の構成を示す断面図。
【図１２】同ストレーナに用いられる化粧板の構成を示す平面図。
【図１３】同化粧板の第１化粧板の構成を示す平面図。
【図１４】同化粧板の第２化粧板の構成を示す平面図。
【図１５】同化粧板の第３化粧板の構成を示す平面図。
【図１６】同化粧板の第４化粧板の構成を示す平面図。
【発明を実施するための形態】
【００１２】
以下、本発明の一実施形態に係るルーフドレイン１を、図１乃至図１６を用いて説明する。  
図１は本発明の一実施形態に係るルーフドレイン１の構成を示す断面図、図２はルーフドレイン１に用いられるドレイン本体１１の構成を示す平面図、図３はルーフドレイン１に用いられるストレーナ１２の構成を示す平面図、図４はストレーナ１２の構成を、図３中ＩＶ−ＩＶ線断面で示す断面図、図５はストレーナ１２の構成を示す分解断面図である。
【００１３】
図６はストレーナ１２のストレーナ本体４１の構成を示す平面図、図７はストレーナ本体４１の構成を一部切欠して示す平面図、図８及び図９はストレーナ本体４１の構成を示す側面図、図１０はストレーナ本体４１の構成を図８、図９とは異なる方向から示す側面図、図１１はストレーナ本体４１の構成を示す断面図である。
【００１４】
図１２はストレーナ１２に用いられる化粧部材４２の構成を示す平面図、図１３、図１４、図１５、図１６は化粧部材４２に用いられる第１化粧板６１、第２化粧板６２、第３化粧板６３、第４化粧板６４の構成をそれぞれ示す平面図である。
【００１５】
図１に示すように、ルーフドレイン１は、例えば、ビルやマンション等の建造物１００のベランダ、バルコニー、廊下及び屋根等の張出部１１０に配置される。本実施形態においては、一例として、建造物１００の張出部１１０をベランダ１１０とし、当該ベランダ１１０にルーフドレイン１が用いられる構成を説明する。
【００１６】
ここで、建造物１００のベランダ１１０は、例えば、鋼板１２０と、鋼板１２０上に、排水溝１３１を有して打設されたコンクリート層１３０と、鋼板１２０上に設けられた円筒状の打込スペーサ１４０と、打込スペーサ１４０内に配置された円筒状の縦樋１５０と、を備えている。
【００１７】
鋼板１２０は、ベランダ１１０の下面を構成する。鋼板１２０は、打込スペーサ１４０が配置される円状の開口部１２１を有する。鋼板１２０の開口部１２１の内周面は、複数の突出部１２２を有する。なお、鋼板１２０は、ベランダ１１０の下面を構成可能な板状部材である。なお、板状部材は、鋼板１２０ではなく、例えば、木材や樹脂材料により構成されていてもよい。
【００１８】
コンクリート層１３０は、鋼板１２０上であって、打込スペーサ１４０の間にコンクリートを打設することで構成される。排水溝１３１は、コンクリート層１３０の上面に、例えば、一方向に延びて設けられる。
【００１９】
打込スペーサ１４０は、円筒状に構成される。打込スペーサ１４０は、軸方向の両端部に複数の溝部１４１を有する。打込スペーサ１４０の下端部の溝部１４１は、打込スペーサ１４０の軸周りに打込スペーサ１４０が回転することを規制可能に、鋼板１２０の突出部１２２と係合する。
【００２０】
縦樋１５０は、打込スペーサ１４０の内径よりも小径の外径を有する配管である。縦樋１５０は、打込スペーサ１４０内に配置される。
【００２１】
図１に示すように、ルーフドレイン１は、排水溝１３１に設けられたドレイン本体１１と、ドレイン本体１１を覆うストレーナ１２と、ドレイン本体１１及びストレーナ１２を固定する締結部材１３と、を備えている。
【００２２】
ドレイン本体１１は、ベランダ１１０等の打設時に、排水溝１３１に固定される。図１及び図２に示すように、ドレイン本体１１は、受け部２１と、受け部２１の長手方向の中央に設けられたドレイン口２２と、を備えている。ドレイン本体１１は、受け部２１で雨水を受けるとともに、受けた雨水をドレイン口２２から排水可能に構成される。
【００２３】
受け部２１は、図２に示すように、上面視で排水溝１３１の長手方向に沿った長方形状に構成される。受け部２１は、図１に示すように、その上面が外周縁側からドレイン口２２に向かって下方に傾斜して構成される。受け部２１は、排水溝１３１の長手方向で両端側に雌螺子部３１及び座面３２を有する。受け部２１は、その底面に、コンクリート層１３０に配置される複数のアンカーボルト３６を有する。
【００２４】
座面３２は、上面の面方向が排水溝１３１に受け部２１が固定された状態で略水平方向に延びる。例えば、座面３２の長手方向の中央には、雌螺子部３１が設けられる。
【００２５】
ドレイン口２２は、受け部２１の下面から下方に向かって円筒状に突出する。ドレイン口２２の受け部２１側の外周面は、打込スペーサ１４０の溝部１４１と係合する複数の突出部２２ａを有する。また、ドレイン口２２には、縦樋１５０が固定される。ドレイン口２２は、縦樋１５０と流体的に連続する。
【００２６】
図１及び図３乃至図５に示すように、ストレーナ１２は、ストレーナ本体４１と、化粧部材４２と、を備えている。図６乃至図１１に示すように、ストレーナ本体４１は、一対の第１側板５１と、一対の第１側板５１に設けられた一対の第２側板５２と、一対の第１側板５１及び一対の第２側板５２の上端側に設けられた天板５３と、第１側板５１に設けられた支持部材５４と、一対の第１側板５１及び天板５３並びに一方の第２側板５２及び天板５３を連結する連結部材５５と、を備えている。ストレーナ本体４１は、上端よりも下方に天板５３が配置されることで、矩形状に開口する凹部４１ａを上部に有する。
【００２７】
第１側板５１は、鋼板により構成される。第１側板５１は、例えば、矩形状の鋼板の中央部が直角に曲げ加工により曲げられることで、側面視でＬ字状に構成される。第１側板５１は、曲げられた部位から一方側がストレーナ本体４１の一方向の側壁を構成し、当該部位の他方側がストレーナ本体４１の脚を構成する。
【００２８】
具体的には、第１側板５１は、側壁部５１ａと、側壁部５１ａに関して直交する方向に延びる底壁部５１ｂと、を備えている。
【００２９】
側壁部５１ａは、複数の開口５１ｃを有する。開口５１ｃは、例えば、一方向に長く構成される。開口５１ｃは、長手方向が重力方向に延び、下端が底壁部５１ｂまで設けられる。開口５１ｃは、短手方向の幅がドレイン本体１１内にゴミや枯れ葉等の所定の大きさの異物が侵入することを防止可能な幅に適宜設定される。
【００３０】
底壁部５１ｂは、底面の面方向がドレイン本体１１の座面３２の面方向に沿って構成される。底壁部５１ｂは、締結部材１３を挿入可能な開口５１ｄを幅方向の中央に有する。開口５１ｄは、ドレイン本体１１の雌螺子部３１と対向する。
【００３１】
第２側板５２は、一方向に長い矩形状に構成され、複数の開口５２ａを有する。開口５２ａは、例えば、一方向に長く構成される。開口５２ａは、長手方向が重力方向に沿って延び、下端が第２側板５２の下端から開口する。開口５２ａは、例えば、開口５１ｃと略同形状に構成される。
【００３２】
天板５３は、一方向に長い矩形の板状に構成され、複数の孔部５３ａを有する。天板５３の主面の形状は、一対の第１側板５１の側壁部５１ａ及び一対の第２側板５２が矩形筒状に一体に組み合わされたときの開口形状よりも若干小さい矩形状に形成される。
【００３３】
換言すると、天板５３は、一対の第１側板５１及び一対の第２側板５２と連結部材５５を介して一体に組み合わされたときに、天板５３と一対の第１側板５１及び一対の第２側板５２の内面との間に隙間が生じる形状に形成される。天板５３は、矩形筒状に一体に組み合わされた一対の第１側板５１の側壁部５１ａ及び一対の第２側板５２の上端よりも低い位置に設けられる。
【００３４】
孔部５３ａは、例えば、三つ設けられる。二つの孔部５３ａは、天板５３の長手方向の両端側であって、短手方向の一方の端部側に設けられ、一つの孔部５３ａは、天板５３の長手方向の中央側であって、短手方向の他方の端部側に設けられる。孔部５３ａは、化粧部材４２の後述する第１化粧板６１に設けられる被締結部材６１ｂの外径よりも大きな内径を有する。
【００３５】
支持部材５４は、矩形柱状に構成される。支持部材５４は、図７に示すように、例えば、各第１側板５１の底壁部５１ｂの下面に、底壁部５１ｂの開口５１ｄを挟んで一対固定される。
【００３６】
連結部材５５は、矩形柱状に構成される。連結部材５５は、例えば三つ設けられる。二つの連結部材５５は、一対の第１側板５１及び天板５３の隅部に配置され、一つの連結部材５５は、第２側板５２と天板５３の隅部に配置される。
【００３７】
このようなストレーナ１２は、一対の第１側板５１、一対の第２側板５２、天板５３、支持部材５４及び３つの連結部材５５が溶接により一体に固定されることで構成される。
【００３８】
図３乃至図５、図１２乃至図１６に示すように、化粧部材４２は、第１化粧板６１と、第２化粧板６２と、第３化粧板６３と、第４化粧板６４と、締結部材６５と、を備えている。化粧部材４２は、第１化粧板６１、第２化粧板６２、第３化粧板６３及び第４化粧板６４が重なることで上面側に構成される意匠部９０を有する。また、化粧部材４２は、下面側から突出する、締結部材６５と螺合する被締結部材６１ｂを有する。意匠部９０は、形状、絵、文字及び記号等を表示する部分である。本実施形態においては、意匠部９０は、一対の傘を表示する。
【００３９】
第１化粧板６１は、天板５３と略同一形状を有する矩形状に構成される。第１化粧板６１は、化粧部材４２の上面を構成する。換言すると、第１化粧板６１は、複数の化粧板６１、６２、６３、６４の最上段に配置される。
【００４０】
図１３に示すように、第１化粧板６１は、意匠部９０のデザインの外周形状に開口する開口部６１ａと、第２化粧板６２と対向する下面に、天板５３の孔部５３ａと同数が同配置で設けられた被締結部材６１ｂと、を有する。被締結部材６１ｂは、雄螺子である。
【００４１】
図１４に示すように、第２化粧板６２は、天板５３と略同一形状を有する矩形状に構成される。第２化粧板６２は、第１化粧板６１の下面と対向して設けられる。第２化粧板６２は、意匠部９０のデザインの一部形状に開口する開口部６２ａと、第１化粧板６１の被締結部材６１ｂと対向する位置に、被締結部材６１ｂと同数が同配置で設けられた孔部６２ｂと、を有する。
【００４２】
図１５に示すように、第３化粧板６３は、天板５３と略同一形状を有する矩形状に構成される。第３化粧板６３は、第２化粧板６２の下面と対向して設けられる。第３化粧板６３は、意匠部９０のデザインの一部形状に開口する開口部６３ａと、第１化粧板６１の被締結部材６１ｂと対向する位置に、被締結部材６１ｂと同数が同配置で設けられた孔部６３ｂと、を有する。
【００４３】
図１６に示すように、第４化粧板６４は、天板５３と略同一形状を有する矩形状に構成される。第４化粧板６４は、第３化粧板６３の下面と対向して設けられる。第４化粧板６４は、意匠部９０のデザインの一部形状に開口する開口部６４ａと、第１化粧板６１の被締結部材６１ｂと対向する位置に、被締結部材６１ｂと同数が同配置で設けられた孔部６４ｂと、を有する。
【００４４】
また、化粧部材４２は、例えば、意匠部９０の色彩に基づいて、各化粧板６１、６２、６３、６４がそれぞれ塗装されている。化粧部材４２は、重ねられた複数の化粧板６１、６２、６３、６４の各開口部６１ａ、６２ａ、６３ａ、６４ａから下段の化粧板６２、６３、６４及び天板５３が露出することで、意匠部９０のデザインを構成する。
【００４５】
締結部材６５は、被締結部材６１ｂと螺合可能に構成される。締結部材６５は、例えばナットである。
【００４６】
次に、このように構成されたストレーナ１２の製造方法について説明する。
【００４７】
先ず、ストレーナ本体４１の製造として、一対の第１側板５１、一対の第２側板５２、天板５３、四つの支持部材５４及び三つの連結部材５５を、溶接により一体に固定する。なお、天板５３は、一対の第１側板５１及び一対の第２側板５２の内面と少なくとも一部で離間した位置で、連結部材５５を介して一対の第１側板５１及び一対の第２側板５２と溶接する。
【００４８】
連結部材５５は、矩形柱状に構成されることから、第１側板５１の側壁部５１ａ、第２側板５２及び天板５３は互いに直交する方向に面方向が配置される。これにより、ストレーナ本体４１が製造される。
【００４９】
次に、ストレーナ本体４１の上部に構成された凹部４１ａに、第４化粧板６４、第３化粧板６３、第２化粧板６２を、各孔部６４ｂ、６３ｂ、６２ｂがそれぞれ天板５３の孔部５３ａと対向する姿勢で順次配置する。次いで、被締結部材６１ｂを各孔部６２ｂ、６３ｂ、６４ｂ、５３ａに挿入し、第１化粧板６１を凹部４１ａに配置する。次いで、締結部材６５を被締結部材６１ｂに螺合させて、第１化粧板６１、第２化粧板６２、第３化粧板６３及び第４化粧板６４を天板５３に固定する。これにより、化粧部材４２に意匠部９０が構成され、ストレーナ１２が製造される。
【００５０】
このように構成されたストレーナ１２を備えるルーフドレイン１によれば、化粧部材４２により意匠部９０が構成されることから、高いデザイン性を有する。また、化粧部材４２は、複数の化粧板６１、６２、６３、６４を組み合わせることで、意匠部９０を構成することから、意匠部９０のデザインに立体感を付与することが可能となる。
【００５１】
また、ストレーナ１２は、デザイン性を付与する意匠部９０を有する化粧部材４２を、ストレーナ本体４１に固定する構成である。このため、意匠部９０のデザインが異なるストレーナ１２を提供する場合であっても、化粧部材４２を複数種類製造すれば、ストレーナ本体４１は共用できることから、ストレーナ１２の製造コストを抑えることができる。
【００５２】
また、化粧部材４２は、締結部材６５によってストレーナ本体４１に固定する簡単な構成であることから、組み立て性もよい。さらに、化粧部材４２を異なる意匠部９０を有する化粧部材４２に交換することで、ストレーナ１２の外観を変更することができることから、ストレーナ１２は、高い自由度を有する。即ち、ストレーナ１２は、例えば季節ごとに、季節に沿ったデザインの意匠部９０を有する化粧部材４２をストレーナ本体４１に設けることで、季節に合った意匠部９０に容易に変更可能であり、このため、ストレーナ１２は高い自由度を有する。
【００５３】
また、ストレーナ本体４１は、一対の第１側板５１及び一対の第２側板５２の内面と、天板５３の外面との間に隙間を設けることで、ストレーナ本体４１の凹部４１ａに雨水が溜まることを防止できる。
【００５４】
上述したように本発明の一実施形態に係るストレーナ１２を有するルーフドレイン１によれば、安価に製造できるとともに、高いデザイン性を有する。
【００５５】
なお、本発明は上述の実施形態に限定されない。例えば、上述した例では、化粧部材４２は、４枚の第１化粧板６１、第２化粧板６２、第３化粧板６３及び第４化粧板６４を積層することで意匠部９０を形成する構成を説明したがこれに限定されない。例えば、化粧部材４２は、２枚の化粧板であってもよく、３枚の化粧板であってもよく、５枚以上の化粧板であってもよい。また、化粧部材４２は、一枚の化粧板６１により構成してもよい。即ち、化粧部材４２は、意匠部９０を有し、そして、締結部材６５及び被締結部材６１ｂにより、ストレーナ本体４１の天板５３に固定される構成であれば、適宜設定可能である。
【００５６】
また、上述した例では、ストレーナ本体４１は、上端に天板５３が設けられた矩形筒状の構成を説明したがこれに限定されず、ストレーナ本体４１は、円筒状であってもよい。一対の第１側板５１及び一対の第２側板５２でなく、円筒状の側板に円形状の天板を設け、化粧部材を円盤状に構成すればよい。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５８】
１…ルーフドレイン、１１…ドレイン本体、１２…ストレーナ、１３…締結部材、１４…打込スペーサ、２１…受け部、２２…ドレイン口、２２ａ…突出部、３１…雌螺子部、３２…座面、３６…アンカーボルト、４１…ストレーナ本体、４１ａ…凹部、４２…化粧部材、５１…第１側板、５１ａ…側壁部、５１ｂ…底壁部、５１ｃ…開口、５１ｄ…開口、５２…第２側板、５２ａ…開口、５３…天板、５３ａ…孔部、５４…支持部材、５５…連結部材、６１…化粧板、６１…第１化粧板、６１ａ…開口部、６１ｂ…被締結部材、６２…第２化粧板、６２…化粧板、６２ａ…開口部、６２ｂ…孔部、６３…第３化粧板、６３…化粧板、６３ａ…開口部、６３ｂ…孔部、６４…第４化粧板、６４…化粧板、６４ａ…開口部、６４ｂ…孔部、６５…締結部材、９０…意匠部、１００…建造物、１１０…張出部（ベランダ）、１２０…鋼板、１２１…開口部、１２２…突出部、１３０…コンクリート層、１３１…排水溝、１４０…打込スペーサ、１４１…溝部、１５０…縦樋。
【図１】
2018096112.tif 000003
【図２】
2018096112.tif 000004
【図３】
2018096112.tif 000005
【図４】
2018096112.tif 000006
【図５】
2018096112.tif 000007
【図６】
2018096112.tif 000008
【図７】
2018096112.tif 000009
【図８】
2018096112.tif 000010
【図９】
2018096112.tif 000011
【図１０】
2018096112.tif 000012
【図１１】
2018096112.tif 000013
【図１２】
2018096112.tif 000014
【図１３】
2018096112.tif 000015
【図１４】
2018096112.tif 000016
【図１５】
2018096112.tif 000017
【図１６】
2018096112.tif 000018